(57)【要約】【課題】容器の脱着時に変位する現像剤供給容器を提供すること。【解決手段】現像剤を収容する現像剤収納部と、現像剤排出開口と、前記現像剤収納部を固定するための容器側係合部と、容器が固定された状態で前記現像剤排出開口を開閉する容器シャッタ部材を開閉自在に操作する操作部材と、容器装着した際に、装着方向と略反対側の付勢力を受ける付勢力受け部と、を備え、前記操作部材の移動に伴って前記シャッタ部材を開く方向に移動した際は、前記容器側係合部は前記本体側係止部との係合を維持し、前記操作部材を前記容器シャッタ部材を閉じる方向に移動した際に、前記容器側係合部は所定の係止解除位置において、前記本体側係止部との係合は解除され、それとともに前記付勢部材の付勢力により前記容器は装着方向と反対側に付勢力を受けて装着位置より変位することを特徴とする。【選択図】図２
2007041104.tif 000002
【特許請求の範囲】
【請求項１】
電子写真方式の画像形成装置本体に対して着脱可能な現像剤供給容器であって、
現像剤を収容する現像剤収納部と、
容器装着した際に装置本体に設けられた現像剤受け入れ開口に対向する現像剤排出開口と、
容器装着した際に装置本体に設けられた本体側係止部と係合して前記現像剤収納部を脱着不可に固定するための容器側係止受け部と、
容器が固定された状態で前記現像剤排出開口を開閉する容器シャッタ部材を開閉自在に操作する操作部材と、
容器装着した際に、装着方向と略反対方向の付勢力を受ける付勢力受け部と、
を備え、
前記操作部材の移動に伴って前記シャッタ部材を開く方向に移動した際は、前記容器側係合部は前記本体側係止部との係合を維持し、前記操作部材を前記容器シャッタ部材を閉じる方向に移動した際に、前記容器側係合部は所定の係止解除位置において、前記本体側係止部との係合は解除され、それとともに前記付勢部材の付勢力により前記容器は装着方向と略反対方向に付勢力を受けて装着位置より変位することを特徴とする現像剤供給容器。
【請求項２】
電子写真方式の画像形成装置本体に対して着脱可能な現像剤供給容器であって、
現像剤を収容する現像剤収納部と、
容器装着した際に装置本体に設けられた現像剤受け入れ開口に対向する現像剤排出開口と、
容器装着した際に装置本体に設けられた本体側係止部と係合して前記現像剤収納部を脱着不可に固定するための容器側係止受け部と、
容器が固定された状態で前記現像剤排出開口を開閉する容器シャッタ部材を開閉自在に操作する操作部材と、
容器装着した際に、装着方向と略反対方向の付勢力を与える付勢部材と、
を備え、
前記操作部材の移動に伴って前記シャッタ部材を開く方向に移動した際は、前記容器側係合部は前記本体側係止部との係合を維持し、前記操作部材を前記容器シャッタ部材を閉じる方向に移動した際に、前記容器側係合部は所定の係止解除位置において、前記本体側係止部との係合は解除され、それとともに前記付勢部材の付勢力により前記容器は装着方向と略反対方向に装着位置より変位することを特徴とする現像剤供給容器。
【請求項３】
前記操作部材の駆動は装置本体に設けられた駆動中継部材であるギア部材を介して前記容器シャッタ部材に駆動が伝達されることを特徴とする請求項１又は２記載の現像剤供給容器。
【請求項４】
前記操作部材には前記操作部材を操作方向に対して係止し、且つ、容器装着により係止状態が解除されるロック部を備えたことを特徴とする請求項３記載の現像剤供給容器。
【請求項５】
前記容器側係止受け部が前記係止解除位置にある時の前記操作部材の位置は、容器装着した際の前記本体側係止部により、前記容器側係止受け部が係止された時の前記操作部材の位置より、前記容器シャッタ部材を閉じる方向側であることを特徴とする請求項３又は４記載の現像剤供給容器。
【請求項６】
前記操作部材の一部であって、前記現像剤供給容器を装置本体から取り出す際に、装置本体の一部と当接し、該操作部材を前記ロック部によってロックされる位置まで移動させる容器側復帰手段を備えたことを特徴とする請求項５記載の現像剤供給容器。
【発明の詳細な説明】
【技術分野】
【０００１】
本発明は、現像剤を使用して画像を形成する電子写真画像形成装置（以下、単に画像形成装置とも言う）に粉体現像剤を供給するための現像剤供給容器に関するものである。
【０００２】
ここで、電子写真画像形成装置とは、電子写真画像形成方式を用いて記録媒体に画像を形成するものである。そして、電子写真画像形成装置の例としては、例えば電子写真複写機、電子写真プリンタ（例えば、レーザービームプリンタ、ＬＥＤプリンタ等）、ファクシミリ装置及びワードプロセッサ等が含まれる。
【背景技術】
【０００３】
電子写真複写機や、レーザービームプリンタ等の電子写真画像形成装置は、一様に帯電させた感光体ドラムに選択的な露光を行い、そして静電潜像を形成する。そして、その静電潜像を現像剤で現像して像を形成する。その後、像を記録媒体に転写して画像記録を行う。このような装置にあっては、現像剤が無くなる都度、現像剤を供給しなければならない。ここで、画像形成装置に現像剤を補給するための現像剤供給容器は、収納した現像剤を画像形成装置本体の現像剤受け入れ容器に一度に全量補給する所謂一括補給型現像剤供給容器と、画像形成装置本体に現像剤供給容器を装着後、そのまま該現像剤供給容器を据え置き、現像剤を使い切るまで徐々に現像装置に現像剤を補給する、所謂据え置き型現像剤供給容器とに大別される。
【０００４】
上記現像剤供給容器において、前記容器には、収納した現像剤を排出するための排出開口と、前記排出開口を封止するシャッタ部材とが設けてあるのが一般的である。又、更には、前記シャッタ部材を閉じると、前記容器を装着位置から変位させる構成にすることで、使用者は前記容器の脱着時期を知ることができ、前記現像剤供給容器の現像剤補給操作性が向上する。
【０００５】
ここに、シャッタ部材を閉じると前記容器を装着位置から変位させる構成の現像剤供給容器並びに受け入れ装置について一例を挙げて説明する。
【０００６】
従来の装置の一例として特開平９−１７１２８９号（特許文献１）には、現像剤補充容器を受け入れ容器から取り外し可能になったことを作業者に確認し易くするために、前記受け入れ容器側に付勢部材を設け、現像剤補充容器を自動的に補給位置から上昇させる構成が示されている。
【０００７】
この従来例を図１２〜図１６を用いて説明する。
【０００８】
図１２において、現像剤補充容器１０３には、突出部１０３ｂ、蓋１０４、シート１０５、シート引出し部材１０６、被ロック部材１３３、付勢力受け部１３４が設けられ、現像剤受け入れ容器１０１側には、蓋１０２、ロック部材１０７、ばね１０８、凹所１１４が設けられている。
【０００９】
現像剤受け入れ容器１０１への現像剤の補充について、図１２及び図１３を用いて説明する。現像剤補充容器３は、現像剤受け入れ容器１０１の所定の位置に装着される。即ち、図１２における突出部１０３ｂを凹所１１４に挿入しつつ、容器１０３の付勢力受け部１３４をばね１０８へ、又、被ロック部材１３３をロック部材１０７へ装着する。すると、ばね１０８から付勢力受け部へ付勢力が働くが、被ロック部材１３３がロック部材１０７によりロックされているので、付勢方向への移動が規制され、装着状態となる。その後、蓋１０２を開封方向へ引っ張ることで現像剤受け入れ容器１０１が開封すると共に、図１３に示すように、シート引出し部材１０６を矢印方向へ引っ張ることで、シート１０５の開封と共に、現像剤補充容器の蓋４も引き出されることで現像剤補充容器１０３が開封し、現像剤受け入れ容器１０１に現像剤が補充される。
【００１０】
現像剤受け入れ容器１０１へ現像剤の補充が終了した後は、蓋１０２を図１４の矢印方向へ押し始めると蓋１０２の先端１２２が蓋４の突起１４１に係合して蓋１０４は押し閉められ、蓋１０４は容器本体１０３a 外に引き出されたシート１０５及びシート引出し部材１０６を引き込みながら閉じられる。そして、現像剤受け入れ容器１０１の開口が蓋１０２によって、現像剤補充容器１０３の開口が蓋１０４によって閉じられるが、シート１０５及びシート引出し部材１０６は容器本体１０３ａから若干出た状態となる。又、蓋１０４においても、初期の装着状態から開き方向へ若干ずれた状態となっている。
【００１１】
その状態から、更に、蓋１０２を押し込むことで、蓋１０４が完全に初期位置へ戻るとともに、図１６に示したように、蓋１０２のカム面１２５がロック部材１０７の爪部１７１を押し、ロック部材１０７は弾性部材１０９に抗して矢印方向（図中時計回り）に回動し、爪部１７３と現像剤補充容器１０３の突起１３３との係合が解除され、図１５に示した付勢力受け部１３４とばね１０８の付勢力により、装着位置より容器１０３が自動変位する。
【特許文献１】特開平９−１７１２８９号公報
【発明の開示】
【発明が解決しようとする課題】
【００１２】
上記の構成において、受け入れ容器１０１へ現像剤を補充するに際し、受け入れ容器１０１の蓋１０２を引き出すとともに、現像剤補充容器１０３のシート引出し部材１０６をも引き出さなくてはならず、且つ、脱着時は蓋１０２を押し込む動作を行うため、ユーザーは開封時と閉封時に別の部材を操作することになる。
【００１３】
又、蓋１０２を押し込む動作も、ロック解除のための押し込みは付勢力に対抗して押し込むため、その押し込み力が通常の動作よりも高くなるため、使用者は操作力の変動による引っ掛かり感を感じ、最後の動作を止めてしまう可能性がある。
【００１４】
更に、ロック解除の構成も部品点数が多く、構成も複雑である。
【００１５】
本発明は上記問題に鑑みてなされたもので、その目的とする処は、操作性の向上、ロック解除機構の部品点数の削減と構成の単純化を図ることができる現像剤供給容器を提供することにある。
【課題を解決するための手段】
【００１６】
電子写真方式の画像形成装置本体に対して着脱可能な現像剤供給容器であって、
現像剤を収容する現像剤収納部と、
容器装着した際に装置本体に設けられた現像剤受け入れ開口に対向する現像剤排出開口と、
容器装着した際に装置本体に設けられた本体側係止部と係合して前記現像剤収納部を脱着不可に固定するための容器側係止受け部と、
容器が固定された状態で前記現像剤排出開口を開閉する容器シャッタ部材を開閉自在に操作する操作部材と、
容器装着した際に、装着方向と略反対方向の付勢力を受ける付勢力受け部と、
を備え、
前記操作部材の移動に伴って前記シャッタ部材を開く方向に移動した際は、前記容器側係合部は前記本体側係止部との係合を維持し、前記操作部材を前記容器シャッタ部材を閉じる方向に移動した際に、前記容器側係合部は所定の係止解除位置において、前記本体側係止部との係合は解除され、それとともに前記付勢部材の付勢力により前記容器は装着方向と略反対方向に付勢力を受けて装着位置より変位することを特徴とする。
【発明の効果】
【００１７】
本発明によれば、現像剤を補充するに際し、操作部材の操作のみで、現像剤の補給及び現像剤供給容器の脱着及び変位を行える構成にすることができ、その結果、現像剤供給容器の操作性を向上させることができる。
【００１８】
又、開封及び現像剤供給容器の脱着動作に至る操作力も一定で、使用者は操作力の変動による引っ掛かり感を感じることなく一連の操作を行え、操作の中断をなくすことができる。
【００１９】
更に、ロック解除の構成も部品点数が少なく、構成も単純にできる。
【発明を実施するための最良の形態】
【００２０】
以下に本発明の実施の形態を添付図面に基づいて説明する。
【００２１】
＜実施の形態１＞
（全体構成）
本実施の形態に係る画像形成装置本体１００及び該画像形成装置本体１００に装着される現像剤供給容器について図を用いて以下に説明する。
【００２２】
先ず、図１及び図２を用いて、画像形成装置本体１００の全体構成について説明する。図１（ａ）は本実施の形態に係る画像形成装置本体１００の装置左側面から見た概略断面図、図１（ｂ）は現像剤供給容器から画像形成装置本体１００への現像剤の搬送過程を示した概念図、図２（ａ）は画像形成装置本体１００の外観斜視図、図２（ｂ）は現像剤供給容器の交換時の画像形成装置本体１００の状態説明する外観斜視図である。
【００２３】
図１（ａ）に示す画像形成装置本体１００は、図中右側が装置前方向である。又、図２（ａ）に示すように、装置上部に表示操作部２４を備え、ジャム処理のために搬送路を開放する外装カバー２１、給送カセット１３等が装置前面から操作可能となっている。
【００２４】
内部の構造は、各色の像担持体である感光体ドラム１ａ，１ｂ，１ｃ，１ｄを４個有し、中間転写体である中間転写ベルト６に重畳的に多重転写し、フルカラーの多色画像を得る４連ドラム方式（インライン）プリンタであり、４つのドラムを用いることにより高速化を達成している。感光体ドラム１ａ〜１ｄ及び現像器３ａ〜３ｄは中間転写ベルト６の鉛直下方に略水平直列に配列され、それぞれイエロー、マジェンタ、シアン、ブラックの各色に対応して配置されている。各現像器３ａ〜３ｄに現像剤を供給する現像剤供給容器の例としてのトナーカートリッジ（以下、トナーカートリッジ３１と言う）は、図２（ｂ）に示すように、装置上方から着脱交換可能な構成となっている。
【００２５】
感光体ドラム１ａ〜１ｄには帯電装置２ａ〜２ｄによって一様に帯電された後に露光装置４ａ〜４ｄによって潜像が形成され、現像器３ａ〜３ｄによって現像されて各色のトナー像が形成される。感光体ドラム１ａ〜１ｄ上のトナー像は一次転写ローラ５ａ〜５ｄによって中間転写ベルト６の上に重畳的に一次転写され、カラートナー像が形成される。中間転写ベルト６は、駆動ローラ７、従動ローラ８及びテンションローラ９によって張架されて回転する。中間転写ベルト６上のトナー像は、二次転写ローラ１０によってシートに二次転写される。シートは、給送カセット１３からピックアップローラ１４によって給送され、レジストローラ１５によって中間転写ベルト６とタイミングを合わせて二次転写部へ搬送される。カラートナー像を転写されたシートは、定着器１１によって熱と圧力を印加されて定着され、機外に排出される。
【００２６】
トナーカートリッジ３１は４色の新品現像剤がそれぞれの容器に充填され、計４つのトナーカートリッジ３１が本体に装着される。図１（ｂ）に示すように、トナーカートリッジ３１の内部には、後述するように撹拌部材３７が配置され（図３（ｃ）参照）、これが回転することによりトナーカートリッジ３１の現像剤排出開口３０から現像剤が排出され、バッファ部４２に現像剤が蓄積される。
【００２７】
バッファ部４２の下部には現像剤計量スクリュー４３と搬送スクリュー４４が配置され、バッファ部４２の現像剤をプロセスカートリッジへと送り込める構成である。現像剤計量スクリュー４３により搬送される現像剤の量は、スクリューピッチとパイプとの空間で同量ずつ分断されるため、スクリューの回転量により現像剤の排出量を調整することができる。ビデオカウント値から、規定のテーブルにより現像剤計量スクリュー４３の回転量が決定され、適正量のトナーが現像剤計量スクリュー４３から排出される。
【００２８】
記録中は常時回転している搬送スクリュー４４がトナーを現像器３へ投入する。又、現像剤計量スクリュー４３の回転量に応じて、トナーカートリッジ３１の撹拌部材３７が回転し、トナーカートリッジ３１からバッファ部４２へトナーが補充され、バッファ部４２内のトナー量は一定に保たれる。
【００２９】
バッファ部４２には不図示のトナーセンサが配置されており、トナーカートリッジ３１のトナーが無くなり、トナーがバッファ部４２に排出されず、バッファ部４２のトナーが無くなると、制御部へ信号を送り、何色の現像剤供給容器が空になったのかをユーザーに報知する。ユーザーは、本体からの情報により、本体のカートリッジカバー２３をＹ方向に開き、空になったトナーカートリッジ３１を本体からＺ方向に取り出し、新品のトナーカートリッジ３１を本体に装着する。その後、カートリッジカバー２３を閉じると、制御部からの信号により、トナーカートリッジ３１の撹拌部材に駆動が伝達され、再度バッファ内がトナーで満たされ、記録可能な状態に戻る。
【００３０】
又、感光体ドラム１ａ〜１ｄは、それぞれプロセスカートリッジとして、装置本体に対して着脱可能な構成となっている。プロセスカートリッジには、少なくとも一次帯電ローラ、現像器のうち何れか１つを有していれば良い。尚、本実施の形態では、感光体ドラム１、帯電装置２、現像器３がプロセスカートリッジ内に配置されている。又、装置上面には開閉可能な上蓋１６が設けられており、感光体ドラム１及び現像器３等が一体となったプロセスカートリッジ、中間転写ベルト６の交換を行うよう構成している。
（現像剤供給容器）
次に、本実施の形態に係るトナーカートリッジ３１について図を用いて説明する。
【００３１】
図３はトナーカートリッジの正面を含む斜視図及び断面図、図４はトナーカートリッジの背面図、図５はハンドルの回動を説明する図、図６は駆動伝達機構を説明する図、図７は装置本体側のトナー補給装置枠体を説明する図、図８は現像剤供給容器の装着動作を説明する図、図９はハンドルのロック解除機構を説明する図、図１０はハンドルの回動と係合部の関係を説明する図、図１１はシャッタの動作を説明する図である。
【００３２】
トナーカートリッジ３１は、装置本体１００に装着され、そのまま据え置いて現像剤を使い切るまで徐々に被供給部へ現像剤を補給する、所謂据え置き型のものである。尚、トナーカートリッジ３１は、画像形成装置本体１００に装着される際は、本図に示される姿勢にて装着されるものである（図２（ｂ）参照）。
【００３３】
トナーカートリッジ３１は、図３（ａ）に示すように、現像剤収納部の例としてのトナー容器３１ａと、操作部材の例としてのハンドル３６、シャッタレール３４に沿って擦動する容器シャッタ３２とを備えている。トナー容器３１ａは、フタ部３１ｂを超音波溶着等の従来公知の手段にて接合して形成されている。図３（ｂ）に示すように、トナー容器３１ａの下部には現像剤を供給するための現像剤排出開口３０が設けられ、その周囲にはトナー漏れを防止するためのシール４８が配置されている。従って、容器シャッタ３２が現像剤排出開口３０を覆うと、現像剤排出開口３０周辺と容器シャッタ３２との隙間はシール４８により封止される。
【００３４】
トナー容器３１ａの内部には、図３（ｃ）に示すように、撹拌部材３７が設けられている。撹拌部材３７の撹拌翼３７ｃは撹拌軸３７ａに取り付けられて回転することにより、トナー容器３１ａ内のトナーを現像剤排出開口３０から送り出す役割を有している。撹拌軸３７ａは、トナーカートリッジ３１の挿入方向に対して直交する方向に配置されており、その一方の端部はカートリッジ外に突出して撹拌ギア４９を備えている。撹拌ギア４９は、図６（ｂ）に示すように、トナーカートリッジ３１を容器本体に装着した際に、装置本体側に設けられた撹拌駆動機構２０と噛合して駆動が伝達される。撹拌駆動機構２０は、ギア列から成る駆動伝達機構であって撹拌ギア４９は回転軸に直交する方向から近接し噛合する。
【００３５】
容器シャッタ３２には、図４（ａ）に示すように、容器シャッタ係止部の例としてのシャッタロック４６が設けられており、トナーカートリッジ３１が装置本体に装着していない状態においては、トナー容器３１ａに設けられたシャッタロック受け部２８に係合している。これにより、ユーザーが誤って容器シャッタ３２を開放方向（矢印Ｘ方向）にスライドさせても、容器シャッタ３２が開いてトナーが溢れることはない。トナー容器の装着とともに、装置本体側のシャッタロック解除突起５５ｆ（図７（ａ）参照）と干渉することで、図４（ｂ）に示すように係合が外れてシャッタロック受け部２８との係合を解除し、容器シャッタ３２が移動可能となる。
【００３６】
ハンドル３６は、図３（ａ）及び図４（ａ）に示すように、トナー容器３１ａの両側面において軸支され、開放方向（矢印Ｖ方向）及び閉鎖方向（矢印Ｗ方向）に回動可能である。但し、図５（ｂ）に示すように、ハンドル３６の把手部３６ａがトナー容器３１ａの上部の容器把手３５に当接するため、回動角が制限される。又、図３（ａ）に示すように、装置本体に装着しない状態においては、ロック手段の例としてのハンドルロック３８がトナー容器のハンドルロック受け部３３の上側受け部３３ｂと下側受け部３３ｃに保持されることにより、ハンドル３６が規定の角度に固定されている。この固定された位置がハンドル３６の初期位置であり、図５（ａ）に示すように、この初期位置からハンドルがＶ、Ｗ両方向に回動できるように設定されている。
【００３７】
又、ハンドル３６には、図４（ａ）に示すように、ギアから成る開閉駆動伝達部４０が形成されている。開閉駆動伝達部４０は、図６（ａ）に示すように、トナーカートリッジ３１を装置本体に装着した際に、装置本体側に設けられた開閉駆動中継部１９と噛合して駆動を伝達する。開閉駆動中継部１９はギア列から成る駆動伝達機構であって、アイドラギア１９ａに接して噛合する。アイドラギア１９ａは、段ギア小１９ｂ、段ギア大１９ｃを介して、容器シャッタ３２に設けられた開閉駆動伝達受け部３２ａに接続され、ハンドル３６の移動を容器シャッタ３２の開閉運動へと伝達する。
【００３８】
更に、ハンドル３６には、図３（ａ），（ｂ）に示すように、容器側係合部の例としてのハンドルレール３９が設けられている。ハンドルレール３９は、ハンドル３６の回動軸を中心として円弧を成す段差状の部位であって、装置本体側に設けられた本体側係止部の例としての突起５３ａ，５４ａと係合し、トナーカートリッジ３１を装置本体に対して固定保持する。突起５３ａ，５４ａは、図７及び図８（ａ）に示すように、トナー補給装置枠体５５と一体に形成された基材部５３ｂ，５４ｂの先端に設けられており、上面（トナーカートリッジ３１の挿入方向上流側）に傾斜面を有し、下面（挿入方向下流側）は挿入方向と略直交する面を備えている。ハンドルレール３９及び突起５３ａ，５４ａの動作及び条件については、後に詳述する。
【００３９】
容器シャッタ３２の外周面には、図３（ｂ）に示すように、係合ボス４５が突出して設けられている。一方、図７（ｂ）に示すように、装置本体に設けられた本体シャッタ５２には、トナーカートリッジ３１を装着した際に係合ボス４５と係合する係合穴５２ｂが設けられている。そして、容器シャッタ３２と本体シャッタ５２とが連携して開閉動作を行い、装置本体のトナー補給装置枠体５５に設けられた現像剤受け入れ開口５７（不図示）と、本体シャッター５２に設けられたトナー補給口５２ａと、トナー容器３１ａに設けられた現像剤排出開口３０とを連通させることにより、トナーの供給が行なわれる。
（現像剤供給容器装着時の動作）
トナーカートリッジ３１の装着時の動作について図８を用いて説明する。
【００４０】
先ず、ユーザーは、画像形成装置本体１００のカートリッジカバー２３をＹ方向に開く（図２（ｂ）参照）。そして、図８（ａ）に示すように、トナー容器上部の容器把手３５を掴んで、本体上部から矢印Ｒ方向にトナーカートリッジ３１を装置本体のトナー補給装置枠体５５へと挿入開始する。このとき、ハンドル３６は、ハンドルロック３８がトナー容器のハンドルロック上側受け部３３ｂと下側受け部３３ｃに挟まれ、初期位置に固定されている。
【００４１】
図８（ｂ）に示すように、トナーカートリッジ３１を更に挿入し、突起５３ａ，５４ａ上面の傾斜面とハンドル３６のハンドルレール３９が接触すると、突起の基材部５３ｂ，５４ｂが弾性変形する。これにより突起５３ａ，５４ａが退避する方向（矢印Ｈ、Ｉ方向）に移動するため、トナーカートリッジ３１をスムーズに挿入することができる。
【００４２】
又、トナーカートリッジ３１を挿入していくと、カートリッジ側の付勢力受け部６０（図３（ｂ）参照）に対応する位置に設けたトナー補給装置枠体５５における付勢板５８と当接し始め、挿入とともに付勢板５８は付勢部材５９の付勢力に抗じて押し込まれていく。
【００４３】
ここにおいて、本実施の形態において付勢部材５９は金属製のばね部材を用いたが、付勢を与え得る部材であるならば、特に金属製のばねに限定するものでなく、種々の部材を用いて良い。
【００４４】
更に押し込み、図８（ｃ）に示すように、完全にトナーカートリッジ３１を挿入すると、突起５３ａ，５４ａが基材部５３ｂ，５４ｂの復元力によりハンドルレール３９の上の空間に入り込む。このように、トナーカートリッジ３１はトナー補給装置枠体５５への挿入と共に固定保持され、トナーカートリッジは取り出し不可に規制される。
【００４５】
装着したのみの状態においては、図１０（ａ）に示すように、ハンドル３６は、初期位置にあり、ハンドルレール３９と突起５４ａは図に示すようにＯの位置で係合する位置関係にある。トナーカートリッジ３１がトナー補給装置に挿入完了直前まで図５（ａ）に示したハンドルロック３８が解除されないため、常にこの位置関係となる。
【００４６】
一方、図７（ａ），（ｂ）に示すように、装置本体側のトナー補給装置枠体５５にはハンドルロック３８のロックを解除するためのハンドルロック解除リブ５５ｈが設けられている。ハンドルロック解除リブ５５ｈは、図３（ｂ）に示すように、トナーカートリッジ３１を挿入中にハンドルロック３８に当接し、その先端をトナー容器３１ａに向かって（矢印Ａ１方向  図９（ａ））撓ませる。これによりハンドルロック３８がハンドルロック受け部３３からずれて係合が解除され、ハンドル３６は回動可能な状態となる。
【００４７】
このときのハンドルロック３８の動きを図９により説明する。
【００４８】
図９（ａ），（ｂ）はハンドルロック３８及びハンドルロック受け部３３を下方から見た図であり、図９（ｃ）はハンドルロック３８近傍をハンドル３６側から見た模式図である。図９（ａ）はハンドル３６がロックされた状態を示している。図９（ｂ）に示すように、トナーカートリッジ３１の挿入によりハンドルロック解除リブ５５ｈがハンドルロック３８に当接すると、ハンドルロック３８の先端は矢印Ａ１方向に変形して退避し、ハンドルロック３８は受け部３３ｂ、３３ｃとトナー容器３１ａの隙間３３ａに入り込むことが可能となる。即ち、図９（ｃ）に示すように、ハンドル開放時には位置３８−０にあったハンドルロック３８は、トナー容器３１ａに寄った位置３８−１の位置に移動し、ハンドル３６の回転が可能となる。
【００４９】
次に、図１０（ｂ）に示すようにハンドル３６を矢印Ｖ方向に倒すと、開閉駆動伝達部４０から開閉駆動中継部１９を介して駆動力が伝達され、容器シャッタ３２及び本体シャッタ５２が回動を開始する。ハンドルレール３９は円弧状であり、突起５３ａ，５４ａはハンドル回動中心線上に配置されているため、回転させても突起５３ａ，５４ａはＰの位置でハンドルレール３９を保持し続ける（図１０（ｂ）参照）。
【００５０】
突起５３ａ，５４ａの下端は湾曲させて形成することにより、ハンドルレール３９に対する接触面を小さくし、回転時の抵抗を少なくすることができる。尚、操作性向上のため、突起５３ａ，５４ａの下端に小さなコロを設け、更に回転抵抗を減らしても良い。又、ハンドルを回転させ、ハンドルロック３８が受け部３３ｂ，３３ｃ以外の位置に来ると、位置３８−２に示すように弾性により退避のための変形から復元する（図９（ｃ）参照）。
【００５１】
図１０（ｃ）に示すように、ハンドル３６を矢印Ｖ方向に一杯に倒すと、容器シャッタ３２及び本体シャッタ５２が完全に開いた状態となり、トナーの供給が可能となる。このとき本体シャッタ５２は、トナー補給装置枠体５５に設けられた突出部（不図示）に当接して移動が規制され、ハンドル３６も回動の限界になる。このときも突起５３ａ，５４ａは、ハンドルレール３９をＱの位置で保持し続ける。この後、カートリッジカバー２３を閉じると画像形成装置本体１００は記録可能状態に復帰する。このように、トナーカートリッジ３１を装置本体に装着した後、ハンドル３６を回すだけの簡便な操作により容器シャッタ３２及び本体シャッタ５２を開放し、記録可能な状態とすることができる。
（現像剤供給容器取り出し時の動作）
トナー容器３１ａ内のトナーが無くなり、現像剤排出開口３０からバッファ部へトナーが排出されなくなると、バッファ部のトナーセンサがトナー無しを検知し、カートリッジ交換メッセージを表示する。ユーザーはカートリッジカバー２３を開け、トナーカートリッジ３１の交換を行う。
【００５２】
先ず、ユーザーは交換するカートリッジ３１の容器シャッタ３２及び本体シャッタ５２を閉じるために、ハンドル３６をＷ方向に回転させる。そして、ハンドル３６を図１０（ａ）に示した初期位置を超えて更に回転させることにより、突起５４ａは、ハンドルレール３９の途切れ部３９ａであるＲの位置に至る。この状態を示したのが図１０（ｄ）である。これにより突起５３ａ，５４ａのハンドルレール３９に対する係合は解除されるため、トナーカートリッジ３１は、付勢部材５９の付勢力で、付勢方向（取り出し方向）へ持ち上げられる。即ち、トナーが空になった場合、ハンドル３６を回転させるだけの簡便な操作でシャッタを閉じ、それとともに、トナーカートリッジ３１は持ち上げられ、取り出し可能な状態となる。
【００５３】
ここで、ハンドル３６の回転量を図１１を用いて説明する。
【００５４】
最上部のラインは、トナーカートリッジ３１が取り出し可能か不可能かを示し、２段目のラインがシャッタＯＰＥＮ時のハンドル回動量を示す。Ｏ→Ｐ→Ｑは図１０のハンドル３６と突起５４ａの位置関係に対応するものである。シャッタＯＰＥＮ時はＢだけハンドルが回動したことになる。
【００５５】
シャッタＣＬＯＳＥ時は３段目にラインで示している。ハンドル３６の動かし始めは、ギアのバックラッシにより駆動が伝達されないため、容器シャッタ３２及び本体シャッタ５２は動かず、ハンドル３６のみが動き、この区間はＣで示される。更に、ハンドル３６をＢだけ回動するが、この間はハンドルレール３９に突起５４ａが係合しており、トナーカートリッジ３１が取り出せない。Ｂ以上ハンドルを回動させたＤ区間の中で、ハンドルレール３９の途切れ部３９ａ（位置Ｒ）が突起５４ａの真下に来るため、トナーカートリッジ３１の規制は解除される。
【００５６】
シャッタ閉じ方向のハンドル回動量（Ｑ→Ｒ）は、シャッタ開方向のハンドル回動量（Ｏ→Ｑ）に比べて多くなるが、ハンドルレールのＯ−Ｒ部の長さをバックラッシ損失分以上に設定することで、容器シャッタ３２及び本体シャッタ５２を元の位置まで戻すとともに、ハンドル位置を装着時より、抜き出し時のハンドル位置を遅れる方向へずらすことができ、この結果、ハンドルレール３９と突起５４ａとの係合を解除でき、解除することで、付勢部材５９によってトナーカートリッジ３１は装着状態から装着方向と反対方向へ変位させられる。
【００５７】
容器シャッタ３２及び本体シャッタ５２の状態を４段目にラインで示している。容器シャッタ３２と本体シャッタ５２とは連動し、ハンドル３６によりＢだけ回動させられる。そのため、基本的にＱの位置で開封状態となり、Ｄに至るとともに開口は封止された状態となる。そのため、トナーカートリッジ３１の脱着時は容器シャッタ３２と本体シャッタ５２が共に封止状態で脱着される。
【００５８】
又、図９（ｃ）に示すように、ハンドルロック受け部３３の上側受け部３３ｂの上面には傾斜面が形成されており、ハンドル閉鎖時にはハンドルロック３８は傾斜面に沿って自然に変形し、隙間３３ａに入り込むことができる。又、トナーカートリッジ３１が装着時においては、ハンドルロック受け部３３はハンドルロック解除リブ５５ｈにより変位されているので、３８−０の位置には戻らず、３３ｃとの隙間に入り込み、トナーカートリッジ３１は更に回動でき、ハンドルレール３９と突起５４ａとの係合が解除されるまで、回動できる。
【００５９】
又、トナーカートリッジ３１を取り出す際に、トナーカートリッジ３１側において、シャッタロック４６がシャッタロック解除突起５５ｆからの押圧を受けなくなるため、弾性により位置を復帰してシャッタロック受け部２８と係合する。これにより、容器シャッタ３２が不用意に開いてしまうことを防止することができ、内部のトナーが飛散する心配なく、本体外での扱いが容易である。
【００６０】
又、ハンドルの回動中心より下の領域に容器側復帰手段の例としての当接部４１がハンドル３６と一体的に設けられている（図４参照）。これに対し装置本体側には図７（ｂ）に示すように本体側復帰手段の例としての復帰当接部５５ｃが設けられている。トナーカートリッジ３１を取り出した後において、ハンドルロック３８とハンドルロック解除リブ５５ｈとは係合が解除されているため、ハンドルロック３８は図９（ｃ）の突起３３ｃの右側の面にその弾性により突き当たっている状態である。
【００６１】
その状態から、トナーカートリッジ３１の当接部４１と本体側の復帰当接部５５ｃの当接により、ハンドル３６は回動し、ハンドル３６の位相が初期位置へと復帰する。そのハンドル３６の位相の復帰と共に、ハンドルロック３８は弾性により位置を復元して上側受け部３３ｂと下側受け部３３ｃの間に入り込み（位置３８−０）、ハンドルロックが固定される。従って、再度、同じ同じトナーカートリッジ３１を挿入することがあっても、常に同じ状態でハンドル操作ができる。
【００６２】
又、トナーカートリッジ３１が本体外にある状態では常にハンドル３６がロックされるため、ハンドルの位置規制を精度良く行うことができ、その結果、ハンドル３６による容器シャッタ３２及び本体シャッタ５２の開封、封止、又、装置本体への装着係止、脱着の動作がより確実に行える。
【００６３】
以上説明したように、本発明によれば、トナーカートリッジ３１はトナー補給装置枠体５５への挿入と共に固定保持され、付勢部材５９による付勢力が働いていてもトナーカートリッジは取り出し不可に規制される。
【００６４】
そして、ハンドル３６の操作のみによって、本体シャッタ及び容器シャッタを開封し、又、トナーカートリッジ３１を取り外す際には本体シャッタ及び容器シャッタを確実に初期位置に戻すことができ、且つ、装着位置よりも更に回動した位置にハンドル３６が回動可能なため、取り外し時は付勢部材５９による付勢力で、トナーカートリッジ３１は取り出し方向（付勢力方向）へ変位させることができる。
【００６５】
このように構成にすることで、現像剤を補充するに際し、操作部材の操作のみで、現像剤の補給及び現像剤供給容器の脱着及び変位を行える構成にすることができ、その結果、現像剤供給容器の操作性を向上させることができる。
【００６６】
又、開封及び現像剤供給容器の脱着動作に至る操作力も一定で、使用者は操作力の変動による引っ掛かり感を感じることなく一連の操作を行え、操作の中断をなくすことができる。
【００６７】
更に、ロック解除の構成も部品点数が少なく、構成も単純にできる。
【００６８】
＜実施の形態２＞
次に、本発明の実施の形態２について説明する。
【００６９】
本体構成及びトナーカートリッジ構成の実施の形態１と同じ部分は説明を省略する。
（現像剤供給容器）
本実施の形態に係るトナーカートリッジ３１について図１７を用いて説明する。図１７（ａ）はトナーカートリッジの正面を含む斜視図、図１７（ｂ）はトナー補給装置枠体５５の斜視図である。
【００７０】
トナーカートリッジ３１は、図１７（ａ）に示すように、現像剤収納部の例としてのトナー容器３１ａと、操作部材の例としてのハンドル３６、シャッターレール３４に沿って擦動する容器シャッタ３２とを備えている。又、トナー容器３１ａの下部には現像剤を供給するための現像剤排出開口３０が設けられ、その周囲にはトナー漏れを防止するためのシール４８が配置されている。又、更には付勢部材６１がトナー容器３１ａの側面に設けられている。
【００７１】
一方、トナー補給装置枠体５５には、トナーカートリッジ３１のハンドルロックを解除するハンドルロック解除リブ５５ｈや、トナーカートリッジ３１を着脱不可に係止する突起５４ａ及び基材部５４ｂや、ハンドル３６の回転駆動を伝達する開閉駆動中継部１９ａ〜１９ｂや、本体シャッタ５２とともに、付勢部材受け部６２が、トナーカートリッジ３１の装着姿勢における付勢部材６１に対応する部位に設けられている。
（トナーカートリッジ装着動作）
上記構成において、トナーカートリッジ３１を挿入していくと、カートリッジ側の付勢部材６１とトナー補給装置枠体５５に設けられた付勢部材受け部６２とが当接し始め、挿入とともに付勢部材６１は付勢受け部６２に押し込まれていく。
【００７２】
更に、完全にトナーカートリッジ３１を挿入すると、突起５３ａ（不図示）、５４ａが基材部５３ｂ（不図示）、５４ｂの復元力によりハンドルレール３９の上の空間に入り込む。このように、トナーカートリッジ３１は、トナー補給装置枠体５５への挿入と共に固定保持され、付勢部材６１による付勢力に抗じて、トナーカートリッジは取り出し不可に規制される。
（トナーカートリッジ抜き出し動作）
トナー容器３１ａ内のトナーが無くなり、現像剤排出開口３０からバッファ部へトナーが排出されなくなると、バッファ部のトナーセンサがトナー無し検知し、カートリッジ交換メッセージを表示する。ユーザーはカートリッジカバーを開け、トナーカートリッジ３１の交換を行う。
【００７３】
先ず、ユーザーは、交換するカートリッジ３１の容器シャッタ３２及び本体シャッタ５２を閉じるために、把手部３６ａをＷ方向に回転させる。そして、ハンドル３６を初期位置を超えて更に回転させることにより、突起５３ａ（不図示）、５４ａはハンドルレール３９の途切れ部の位置に至る。これにより突起５３ａ（不図示）、５４ａのハンドルレール３９に対する係合は解除されるため、トナーカートリッジ３１は付勢部材６１の付勢力で、付勢方向（取り出し方向）へポップアップする。即ち、トナーが空になった場合、ハンドル３６を回転させるだけの簡便な操作でシャッタを閉じ、それとともに、付勢部材６１によってトナーカートリッジ３１は装着状態から装着方向と反対方向へ変位させられる。
【００７４】
以上説明したように、本発明によれば、トナーカートリッジ３１は、トナー補給装置枠体５５への挿入と共に固定保持され、付勢部材６１による付勢力が働いていてもトナーカートリッジは取り出し不可に規制される。
【００７５】
そして、ハンドル３６の操作のみによって、本体シャッタ及び容器シャッタを開封し、又、トナーカートリッジ３１を取り外す際には本体シャッタ及び容器シャッタを確実に初期位置に戻すことができ、且つ、装着位置よりも更に回動した位置にハンドル３６が回動可能なため、取り外し時は付勢部材６１による付勢力で、トナーカートリッジ３１は取り出し方向（付勢力方向）へ変位させることができる。
【００７６】
このように構成にすることで、現像剤を補充するに際し、操作部材の操作のみで、現像剤の補給及び現像剤供給容器の脱着及び変位を行える構成にすることができ、その結果、現像剤供給容器の操作性を向上させることができる。
【００７７】
又、開封及び現像剤供給容器の脱着動作に至る操作力も一定で、使用者は操作力の変動による引っ掛かり感を感じることなく一連の操作を行え、操作の中断をなくすことができる。
【００７８】
更に、ロック解除の構成も部品点数が少なく、構成も単純にできる。
【００７９】
＜実施の形態３＞
次に本発明の実施の形態３について説明する。
【００８０】
以下、本発明の実施の形態３について図面を用いて説明する。最初に、本発明の実施の形態３に係る現像剤補給容器が装着される電子写真画像形成装置の一例である電子写真複写機の構成について図１８に基づいて説明する。
（電子写真画像形成装置）
図１８は本実施の形態に係るトナーカートリッジを装着した画像形成装置の断面図である。潜像形成部の構成を説明すると、先ず、感光体ドラム２１９は転写ドラム２１５に外周面を当接させ、図中矢印Ｂ方向に回転自在に配設されている。前記感光体ドラム２１９の回転方向上流側から下流側に向かって除電用帯電器２２０、クリーニング手段２２１及び一次帯電器２２３が順次配設され、更に感光体ドラム２１９の外周面上に静電潜像を形成するためのレーザービームスキャナのごとき像露光手段２２４及びミラー等の像露光反射手段２２５が配設されている。
【００８１】
これら、感光体ドラム２１９を中心とした潜像形成部に近接して、現像手段として回転式現像装置２３０が配設されている。この回転型現像装置２３０の構成は次の通りである。前記感光体ドラム２１９の外周面と対向する位置に、一方向に回転自在な筐体としての回転体２２６が配設され、前記回転体２２６中には４種類の現像装置が周方向の４位置に搭載され、前記感光体ドラム２１９の外周面上に形成された静電潜像を可視化・現像するようになっている。上記４種類の現像装置は、それぞれイエロー現像装置２０７Ｙ、マゼンタ現像装置２０７Ｍ、シアン現像装置２０７Ｃ及びブラック現像装置２０７Ｂｋとなっている。
【００８２】
これら４種の現像装置は前記回転体の回転によって順次、感光体ドラム２１９に当接する位置（図１８中の２０７Ｙの位置）に来て、各色の現像・可視化を行うようになっている。そして、４種類の現像装置はそれぞれ同じ構成になっていて、トナーカートリッジ２０１、トナーカートリッジ２０１から排出される現像剤を受け入れる現像剤受け入れ部２０８から現像剤を供給され、感光体ドラム２１９上の静電潜像を現像する現像器２０９からなっている。
【００８３】
現像剤受け入れ部２０８は、回転体２２６に装着されたトナーカートリッジ２０１が回転体２２６の回転による公転運動により現像剤補給容器２０１から排出された現像剤を受け入れて貯蔵するとともに、現像器２０９側からの要求に応じて現像剤を定量的に現像器２０９に供給するようになっている。現像器２０９内には進行方向が互いに逆向きの２つの現像剤搬送部材２０９ａがあって、現像剤とキャリアを循環しながら均一に混合するようになっている。現像器２０９には、マグネットを内蔵した現像スリーブ２０９ｂが回転可能に軸支されていて、キャリアを磁力にて吸着して磁気ブラシを形成し、キャリアに付着した現像剤を感光体ドラム２１９に供給するようになっている。
【００８４】
図１９を参照して回転型現像装置２３０の構成と動作を説明する。
【００８５】
図１９に示した回転型現像装置は略円筒形状であり、その内部は４つに区画され、それぞれＢｋ、Ｙ、Ｍ、Ｃの４色の現像器２０９と、それぞれに対応したトナーカートリッジ２０１とを収容している。
【００８６】
この回転型現像装置は図面上、反時計回りに９０度ずつ回転し、感光体ドラムに対向する現像器２０９を交換するようになっている。本実施の形態では、２０７ａの位置で感光体ドラムと対向するが、この位置を現像ステーションと呼ぶ。現像器２０９の現像剤搬送部材２０９ａや現像スリーブ２０９ｂ及び現像剤受け入れ部２０８の現像剤搬送部材２０８a は、現像ステーション２０７ａの位置にあるときのみ、画像形成装置本体と駆動伝達されて回転するようになっている。そして、現像ステーション２０７ａ以外の位置２０７ｂ，２０７ｃ，２０７ｄにある現像器２０９及び現像剤受け入れ部２０８は作動しない。
【００８７】
トナーカートリッジ２０１の着脱は、これら４つの位置のうち、何れかで行っても良いが、現像ステーション２０７ａ以外の位置が好ましく、特に現像剤排出開口２０１ａが上向きとなる２０７ｃの位置で行うのが最も好ましい。本実施の形態では２０７ｃの位置で着脱を行った。
【００８８】
次に、本実施の形態に係るトナーカートリッジ２０１の構成について図２０を用いて説明する。
【００８９】
図２０（ａ）に示すように、トナーカートリッジ２０１には、容器本体２０２、容器シャッタ２０３、パッキン材２０４、ノブ２０５が設けており、容器シャッタ２０３にはシャッタギア２０３ａを、ノブ２０５にはノブギア２０５ａと、トナーカートリッジ２０１が現像器への装着とともに現像器に係止されるための係止受け部２０５ｂと、トナーカートリッジ２０１の脱着時、ノブ２０５の位置を装着時の位置に戻すための位置戻し突起２０５ｄを有している。
【００９０】
又、図２０（ｂ）に示すように、ノブ２０５には初期のノブ２０５の回転位置を規制するためのノブロック部２０５ｃが設けてあり、前記ノブロック部２０５ｃと容器本体２０２の係止部２０２ｂとが係合し、ノブ２０５の回転位置を規制している。
【００９１】
次に、回転型現像装置２３０に用いる現像器２０９の構成について図２１を用いて説明する。
【００９２】
現像器２０９には、容器シャッタ２０３と嵌合する現像器シャッタ２１１と、ノブギア２０５ａの駆動をシャッタギア２０３ａに伝える駆動伝達部材２１０を備えている。尚、駆動伝達部材２１０は段ギアであり、その一方が容器側シャッタギア２０３ａと噛み合い、他方がノブギア２０５ａと噛み合う。
【００９３】
又、現像器２０９の奥側には、装着されたトナーカートリッジ２０１に対し装着方向と反対側に付勢するピストン部材２１３と、トナーカートリッジ２０１の装着とともに装着方向に対して係止する係止部２１２と、トナーカートリッジ２０１の装着とともに、ノブロック部２０５ｃと容器本体係止部２０２ｂとの係合を解除するロック解除突起２１４と、トナーカートリッジ２０１の脱着時にノブ２０５の位置を装着時の位置に戻すための現像器２０９側の位置戻し突起２１６とを備えている。
【００９４】
次に、トナーカートリッジ２０１が現像器２０９に装着される動作について図２２〜図２５を用いて説明する。
【００９５】
図２２はトナーカートリッジ２０１の現像器２０９への装着前の状態を示し、図２３はトナーカートリッジ２０１の現像器２０９への装着後の状態を示し、図２４はノブ２０５を回動し、トナーカートリッジ２０１を開封した状態を示し、図２５はトナーカートリッジ２０１を現像器２０９から脱着する前の状態を示している。尚、トナーカートリッジ２０１及び現像器２０９の各部位については図２０及び図２１を参照のこと。
【００９６】
先ず始めに、ノブ２０５を手前にしてトナーカートリッジ２０１を画像形成装置本体の現像装置２０９へ挿入する。この状態を示しているのが図２２である。そして、トナーカートリッジ１の装着と共に、ノブギア２０５ａと駆動伝達部材２１０、シャッタギア２０３ａと同じく駆動伝達部材２１０とが噛み合い、シャッタ３は現像器側シャッタ２１１と嵌合する（噛み合い、嵌合状態は不図示）。
【００９７】
又、ノブ２０５の位置を規制しているノブロック部２０５ｃと容器本体係止部２０２ｂとの係合も、トナーカートリッジ２０１の装着により、ロック解除突起２１４により、ノブロック部２０５ｃが装着方向と反対側に退避されることで前記係合が解除されノブ２０５が回転可能となる。
【００９８】
更に、現像器２０９の奥側には、トナーカートリッジ１を装着方向と略反対側に付勢するピストン部材２１３が設けられており、トナーカートリッジ１を現像器２０９に装着していくと、或る位置でトナーカートリッジ２０１端面と前記ピストン部材２１３とが突き当たり、更にピストン部材２１３の付勢力に抗じてトナーカートリッジ２０１を押し込む。
【００９９】
すると、ノブ２０５の係止受け部２０５ｂの下面と現像器側係止部２１２上面の傾斜面とが突き当たり、更にトナーカートリッジ２０１を押し込むことで、前記傾斜面により現像器側係止部２１２が弾性変形により退避する。その状態から更にトナーカートリッジ２０１を押し込むことでノブ２０５の係止受け部２０５ｂの上面が、現像器側係止部２１２の下面に入り込み、その状態において、トナーカートリッジ２０１は現像器２０９に対し脱着不可に係止され装着終了となる。この状態において、現像剤補給容器２０１はピストン部材２１３に付勢力を受けている状態である。この状態を示しているのが図２３である。
【０１００】
次に、シャッタ２０３の開封動作を図２３及び図２４を用いて説明する。
【０１０１】
容器本体２０２の手前側端部に設けられたノブ５の把手を持って図２３の矢印方向に所定角度回転させると、ノブ２０５に設けられたギア２０５ａにより、駆動伝達部材２１０を介しシャッタ２０３のギア２０３ａへ回転力が伝わり、シャッタ２０３が回転する。シャッタ２０３と共に現像器側シャッタ２１１も回転し、現像器シャッタ２１１側に設けた開口部とトナーカートリッジ２０１側の排出開口が繋がり、開口部が開封される。この状態が図２４である。尚、この状態においては、ノブ２０５の係止受け部２０５ｂと現像器側係止部２１２とは係止状態を維持している。
【０１０２】
トナーカートリッジ２０１内の現像剤が無くなると、所定の検知手段により検知され、装置本体の操作パネル上（不図示）にカートリッジ交換メッセージが表示される。ユーザーはカバーを開け、トナーカートリッジ２０１の交換を行う。
【０１０３】
先ず、ユーザーは交換するトナーカートリッジ２０１のノブ２０５を図２４の矢印方向に回転させる。実施の形態１において示したように、シャッタギア２０３ａ、現像器２０９側の駆動伝達部材２１０、ノブギア２０５ａのバックラッシにより、ノブ２０５は初期位置を超えて更に回転させることができる。この状態を示したのが図２５である。その結果、ノブ２０５の係止受け部２０５ｂと現像器側係止部２１２との係止が解除され、トナーカートリッジ２０１はピストン部材２１３の付勢力で、付勢方向（取り出し方向）へ変位する。即ち、現像剤が空になった場合、ハンドル２０５を回転させるだけの簡便な操作でシャッタを閉じ、それとともに、ピストン部材２１３によってトナーカートリッジ２０１は取り出し方向へと変位させられる。
【０１０４】
図２６を用いて、トナーカートリッジ２０１の係止について更に詳細に説明する。
【０１０５】
図２６（ａ）はトナーカートリッジ２０１が現像器２０９に装着された直後の係止部２１２周りの詳細を示した図である。この状態において、係止部２１２はノブ２０５の係止受け部２０５ｂに係止している。
【０１０６】
この後、ユーザーにより図２６（ａ）の矢印方向にノブ２０５が回転され、その結果、トナーカートリッジ２０１は開封状態となり現像剤の補給が行われる。
【０１０７】
トナーカートリッジ２０１に収納されている現像剤が空になった後、ユーザーにより図２６（ｂ）に示した矢印方向にノブ２０５を回転されることで、トナーカートリッジが封止される。又更に、前述したように、各ギアのバックラッシにより、ノブ２０５は図２６（ａ）に示した位置より、更に図２６（ｂ）の矢印方向に回転することができ、その結果、係止部２１２とノブ２０５の係止受け部２０５ｂとの係止が解除される。係止が解除された後は、トナーカートリッジ２０１はピストン部材２１３の付勢力により、取り出し方向へ変位され取り出される。
【０１０８】
最後にトナーカートリッジ２０１の脱着後、ノブ２０５が装着時の位置に戻る構成を図２７を用いて説明する。
【０１０９】
係止部２１２とノブ２０５の係止受け部２０５ｂとの係止が解除された後、ノブ２０５の位置戻し突起２０５ｄと、現像器９の位置戻し突起２１６とが当接し、ノブは開封方向に回動し、装着時の位置へと復帰する。従って、再度、同じトナーカートリッジ２０１を装着することがあっても、常に同じ状態でノブ操作ができる。
【０１１０】
尚、ノブ２０５の位置戻しのための回動は、各ギアのバックラッシ分で吸収でき、その結果、ノブ２０５が回動しても容器シャッタ２０３は動かないことは確認している。
【０１１１】
又、トナーカートリッジ２０１側に、前記ピストン部材２１３と同様の機能を有する付勢部材を設けても同じ効果が得られる。
【０１１２】
以上説明したように、本発明によれば、トナーカートリッジ２０１は現像器２０９への装着と共に固定保持され、ピストン部材２１３による付勢力が働いていてもトナーカートリッジは取り出し不可に規制される。
【０１１３】
そして、ハンドル２０５の操作のみによって、現像器シャッタ２１１及び容器シャッタ２０３を開封し、又、トナーカートリッジ２０１を取り外す際には現像器シャッタ２１１及び容器シャッタ２０３を確実に初期位置に戻すことができ、且つ、装着位置よりも更に回動した位置にノブ２０５が回動可能なため、取り外し時はピストン部材２１３による付勢力で、トナーカートリッジ２０１は取り出し方向（付勢力方向）へ変位させることができる。
【０１１４】
このように構成にすることで、現像剤を補充するに際し、操作部材の操作のみで、現像剤の補給及び現像剤供給容器の脱着及び変位を行える構成にすることができ、その結果、現像剤供給容器の操作性を向上させることができる。
【０１１５】
又、開封及び現像剤供給容器の脱着動作に至る操作力も一定で、使用者は操作力の変動による引っ掛かり感を感じることなく一連の操作を行え、操作の中断をなくすことができる。
【０１１６】
更に、ロック解除の構成も部品点数が少なく、構成も単純にできる。
【図面の簡単な説明】
【０１１７】
【図１】画像形成装置本体の概略説明図である。
【図２】画像形成装置本体の外観斜視図である。
【図３】トナーカートリッジの正面を含む斜視図及び断面図である。
【図４】トナーカートリッジの背面図である。
【図５】ハンドルの回動を示す図である。
【図６】駆動伝達機構を説明する図である。
【図７】装置本体側のトナー補給枠体を説明する図である。
【図８】現像剤供給容器の装着動作を説明する図である。
【図９】ハンドルのロック解除機構を説明する図である。
【図１０】ハンドルの回動と係合部の関係を説明する図である。
【図１１】ハンドルの回動量とシャッタの動作を説明する図である。
【図１２】従来のトナー供給容器の斜視図である。
【図１３】シールを引き剥がし開始した図である。
【図１４】シールを引き出し終了した図である。
【図１５】付勢部の斜視図である。
【図１６】ロック部材の作動説明図である。
【図１７】実施例２の現像剤供給容器とトナー補給枠体を示す図である。
【図１８】現像剤補給容器を装着した回転型現像装置を備えた画像形成装置の断面図である。
【図１９】内部を４つに区画した回転型現像装置の正面図である。
【図２０】本発明の実施の形態３に係る現像剤補給容器の斜視図である。
【図２１】本発明の実施の形態３に係る現像器の斜視図である。
【図２２】本発明の実施の形態３に係る現像剤補給容器の現像器への装着前の状態を示す図である。
【図２３】本発明の実施の形態３に係る現像剤補給容器の現像器への装着後の状態を示す図である。
【図２４】本発明の実施の形態３に係る現像剤補給容器の現像器への開封後の状態を示す図である。
【図２５】本発明の実施の形態３に係る現像剤補給容器の現像器から脱着する前の状態を示す図である。
【図２６】本発明の実施の形態３に係る現像剤補給容器の係止の状態を説明する説明図である。
【図２７】ノブの位置戻しの詳細について説明する図である。
【符号の説明】
【０１１８】
１      感光体ドラム
２      帯電装置
３      現像器
４      露光装置
５      一次転写ローラ
６      中間転写ベルト
７      駆動ローラ
８      従動ローラ
９      テンションローラ
１０      二次転写ローラ
１１      定着器
１３      給送カセット
１４      ピックアップローラ
１５      レジストローラ対
１６      補給搬送部材
１７      現像剤供給容器装着部
１９      開閉駆動中継部
１９ａ    アイドラギア
１９ｂ    段ギア小
１９ｃ    段ギア大
２０      撹拌駆動機構
２１      外装カバー
２３      カートリッジカバー
２４      操作表示部
２８      シャッタロック受け部
３０      現像剤排出開口
３１      トナーカートリッジ
３１ａ    トナー容器
３２      容器シャッタ
３２ａ    開閉駆動受け部
３３      ハンドルロック受け部
３３ａ    隙間
３３ｂ    上側受け部
３３ｃ    下側受け部
３４      シャッターシール
３５      容器把手
３６      ハンドル
３６ａ    把手部
３７      撹拌部材
３７ａ    撹拌軸
３７ｃ    撹拌翼
３８      ハンドルロック
３９      ハンドルレール
３９ａ    途切れ部
４０      開閉駆動伝達部
４１      当接部
４２      バッファ部
４３      現像剤計量スクリュー
４４      搬送スクリュー
４５      係合ボス
４６      シャッタロック
４７      ロック解除リブ
４８      シール
４９      撹拌ギア
５２      本体シャッタ
５２ａ    トナー補給口
５２ｂ    係合穴
５３ａ    突起
５３ｂ    基材部
５４ａ    突起
５４ｂ    基材部
５５      トナー補給容器枠体
５５ａ    本体シャッタのロック
５５ｃ    復帰当接部
５５ｆ    シャッタロックの解除突起
５５ｇ    突当り部
５５ｈ    ハンドルロック解除リブ
５６      本体開口シール
５７      現像剤受入開口
５８      付勢板
５９      付勢部材
６０      付勢力受け部
６１      付勢部材
６２      付勢部材受け部
１０１    現像剤受け入れ容器
１０２    蓋
１０３    現像剤補充容器
１０３ｂ    突出部
１０４    蓋
１０５    シート
１０６    シート引出し部材
１０７    ロック部材
１０８    ばね
１０９    弾性部材
１１４    凹所
１２２    先端
１２５    カム面
１３３    被ロック部
１３４    付勢力受け部
１４１    突起
１７１    爪部
２０１    現像剤補給容器
２０２    容器本体
２０２ｂ    ノブロック係止部
２０３    容器シャッタ
２０４    パッキン材
２０５    ノブ
２０５ａ    ノブギア
２０５ｂ    係止受け部
２０５ｃ    ノブロック部
２０５ｄ    位置戻し突起
２０７Ｂｋ  ブラック現像装置
２０７Ｃ  シアン現像装置
２０７Ｍ  マゼンタ現像装置
２０７Ｙ  イエロー現像装置
７ａ〜７ｄ  現像ステーション（位置）
２０８    現像剤受け入れ部
２０８ａ    現像剤搬送部材
２０９    現像器
２０９ａ    現像剤搬送部材
２０９ｂ    現像スリーブ
２１０    現像器側ギア
２１１    現像器側シャッタ
２１２    係止部
２１３    ピストン部材
２１４    ロック解除突起
２１５    転写ドラム
２１６    位置戻し突起
２１９    感光体ドラム
２２０    除電用帯電器
２２１    クリーニング手段
２２３    一次帯電器
２２４    像露光手段
２２５    像露光反射手段
２２６    回転体
２３０    回転式現像装置
【図１】
2007041104.tif 000003
【図２】
2007041104.tif 000004
【図３】
2007041104.tif 000005
【図４】
2007041104.tif 000006
【図５】
2007041104.tif 000007
【図６】
2007041104.tif 000008
【図７】
2007041104.tif 000009
【図８】
2007041104.tif 000010
【図９】
2007041104.tif 000011
【図１０】
2007041104.tif 000012
【図１１】
2007041104.tif 000013
【図１２】
2007041104.tif 000014
【図１３】
2007041104.tif 000015
【図１４】
2007041104.tif 000016
【図１５】
2007041104.tif 000017
【図１６】
2007041104.tif 000018
【図１７】
2007041104.tif 000019
【図１８】
2007041104.tif 000020
【図１９】
2007041104.tif 000021
【図２０】
2007041104.tif 000022
【図２１】
2007041104.tif 000023
【図２２】
2007041104.tif 000024
【図２３】
2007041104.tif 000025
【図２４】
2007041104.tif 000026
【図２５】
2007041104.tif 000027
【図２６】
2007041104.tif 000028
【図２７】
2007041104.tif 000029